(57)【要約】【課題】本発明の課題は、容易な操作により必要に応じて表示手段に表示させる情報を切り替えて表示する。【解決手段】デジタルカメラ１００は、２段式のレリーズキー５ａを備え、記録モードが設定された際に、Ｄモードキー５ｂにより設定される表示モードに応じて表示情報を生成し、カラー液晶表示部４にスルー画像、撮影情報等を表示させる。そして、レリーズキー５ａにより、Ｓ１スイッチが操作されると、表示モードにより表示されている表示情報とは異なる表示情報を生成し、カラー液晶表示部４の表示状態を切り替えて表示させる。【選択図】　　　図２
2004064502.tif 000002
【特許請求の範囲】
【請求項１】
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチにより第１の操作信号が出力された場合に、前記表示手段の表示状態を第１の表示状態から第２の表示状態に変化させる制御を行う表示制御手段を備えることを特徴とする撮影装置。
【請求項２】
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチから第１の操作信号が出力された場合に、前記表示手段に撮影に関する情報を表示させる表示制御手段を備えることを特徴とする撮影装置。
【請求項３】
前記表示制御手段は、前記スイッチから第１の操作信号が出力された場合に、前記表示手段の表示状態を、前記被写体の画像信号が表示されている状態から、前記被写体の画像信号及び前記撮影に関する情報が表示された状態に変化させることを特徴とする請求項２記載の撮影装置。
【請求項４】
前記表示制御手段は、前記スイッチから第１の操作信号が出力された場合に、前記表示手段の表示状態を、何も表示されていない状態から、前記撮影に関する情報が表示された状態に変化させることを特徴とする請求項２記載の撮影装置。
【請求項５】
前記表示制御手段は、前記スイッチから第１の操作信号が出力された場合に、前記表示手段の表示状態を、前記撮影に関する情報の一部が表示されている状態から、前記撮影に関する情報の全てが表示された状態に変化させることを特徴とする請求項２記載の撮影装置。
【請求項６】
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチから第１の操作信号が出力された場合に、前記表示手段に前記被写体の画像信号を表示させる表示制御手段を備えることを特徴とする撮影装置。
【請求項７】
前記表示制御手段は、前記スイッチから第１の操作信号が出力された場合に、前記表示手段の表示状態を、前記撮影に関する情報が表示されている状態から、前記被写体の画像信号及び前記撮影に関する情報が表示された状態に変化させることを特徴とする請求項６記載の撮影装置。
【請求項８】
前記撮影に関する情報は、撮影モード、画質モード、フラッシュＯＮ／ＯＦＦ、残りコマ数、電池残容量、レンズ設定及び記録解像度のうち少なくとも１以上を含むことを特徴とする請求項１から５及び７のいずれか一項に記載の撮影装置。
【請求項９】
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチと、モードに応じて前記表示手段を所定の表示状態にさせる指示を出力するモード選択手段と、を備える撮影装置において、
前記画像信号を記録手段に記録可能な状態において、前記表示手段の表示状態を前記モード選択手段により指示されたモードに応じた第１の表示状態にさせ、前記スイッチにより第１の操作信号が出力された場合に、前記表示手段の表示状態を前記第１の表示状態から、第２の表示状態に変化させる制御を行う表示制御手段を備えることを特徴とする撮影装置。
【発明の詳細な説明】
【０００１】
【発明の属する技術分野】
本発明は、１つの表示手段に表示情報を切り替えて表示する撮影装置に関するものである。
【０００２】
【従来の技術】
近時、デジタルカメラの高機能化に伴い、装置本体に撮影モード、画質モード、フラッシュＯＮ／ＯＦＦ、残りコマ数、電池残容量、レンズ設定及び記録解像度等を含む撮影に関する情報（以下、「撮影情報」と呼ぶ）を表示するためのデータ表示部と、ＣＣＤ（Ｃｈａｒｇｅ　Ｃｏｕｐｌｅｄ　Ｄｅｖｉｃｅ）により取得した被写体のスルー画像や撮影画像を画像データとして表示するカラー液晶表示部とを備えるデジタルカメラが知られている。一方で、近年のデジタルカメラは、携帯性を向上させるため小型化、軽量化、薄型化することが望まれている。そこで、最近では装置本体にカラー液晶表示部のみを備え、このカラー液晶表示部に、撮影に関する情報と、被写体の画像データとを表示させることにより、筐体の小型化、軽量化、薄型化を実現している。
【０００３】
【発明が解決しようとする課題】
しかしながら、従来の撮影装置においては、筐体の小型化に伴い、備えられるカラー液晶表示部も小さく構成されているため、このカラー液晶表示部に、撮影情報と、被写体の画像データを同時に表示させた場合、情報が常に重畳して表示され、視認性が悪いという問題があった。そこで、どちらか一方のみを交互に表示させる場合、ユーザは、状況に応じて表示モードを切り替えて表示させる必要があり、面倒であるという問題があった。また、例えば、撮影時は、被写体の画像データを閲覧しながら、撮影情報を参照したい場合もあり、どちらか一方のみしか表示されないと、不便であるという問題があった。
【０００４】
本発明の課題は、容易な操作により必要に応じて表示手段に表示させる情報を切り替えて表示する撮影装置を提供することである。
【０００５】
【課題を解決するための手段】
上記課題を解決するために、請求項１記載の発明は、
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチにより第１の操作信号が出力された場合に、前記表示手段の表示状態を第１の表示状態から第２の表示状態に変化させる制御を行う表示制御手段を備えることを特徴とする。
【０００６】
したがって、被写体の画像信号を記録手段に記録させる指示を出力する直前に、スイッチを操作して第１の操作信号を出力させることにより、表示手段の表示状態を第１の表示状態から、第２の表示状態に変化させることができる。これにより、例えば、表示手段を１つしか備えない撮影装置において、撮影時以外には情報を非表示させておき、撮影時に撮影に係るスイッチを操作することにより、必要な情報を容易に表示手段に表示させることができるため、利便性が良い。
【０００７】
なお、表示手段に表示される被写体の画像信号は、記録手段に記録されていない画像信号であり、撮影時にプレビューとして表示される、被写体のスルー画像である。
【０００８】
請求項２記載の発明は、
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチから第１の操作信号が出力された場合に、前記表示手段に撮影に関する情報を表示させる表示制御手段を備えることを特徴とする。
【０００９】
したがって、画像信号を記録手段に記録させる指示するための第２の操作信号を出力させる前に、第１の操作信号を出力させて、撮影に関する情報を表示手段に表示させることができ、撮影時に必要な情報を得ることができる。
【００１０】
請求項３記載の発明は、請求項２記載の撮影装置において、
前記表示制御手段は、前記スイッチから第１の操作信号が出力された場合に、前記表示手段の表示状態を、前記被写体の画像信号が表示されている状態から、前記被写体の画像信号及び前記撮影に関する情報が表示された状態に変化させることを特徴とする。
【００１１】
したがって、被写体の画像信号が表示されている状態にて、スイッチから第１の操作信号を出力させることにより、被写体の画像信号に重畳させて撮影に関する情報を表示手段に表示させることができる。すなわち、撮影時に、被写体の画像信号と撮影に関する情報を同時に参照することができ、利便性が良い。
【００１２】
請求項４記載の発明は、請求項２記載の撮影装置において、
前記表示制御手段は、前記スイッチから第１の操作信号が出力された場合に、前記表示手段の表示状態を、何も表示されていない状態から、前記撮影に関する情報が表示された状態に変化させることを特徴とする。
【００１３】
したがって、表示手段に何も表示されていない状態にて、スイッチから第１の操作信号を出力させることにより、撮影に関する情報を表示させることができる。すなわち、撮影時に、表示手段がＯＦＦされている場合でも、撮影に係るスイッチを操作することにより、撮影に関する情報を表示させることができるため、操作性が良い。また、撮影に必要な情報を表示させるために、予め表示手段に電源を供給して駆動させておく必要がなく、電源を節約することができる。
【００１４】
請求項５記載の発明は、請求項２記載の撮影装置において、
前記表示制御手段は、前記スイッチから第１の操作信号が出力された場合に、前記表示手段の表示状態を、前記撮影に関する情報の一部が表示されている状態から、前記撮影に関する情報の全てが表示された状態に変化させることを特徴とする。
【００１５】
したがって、撮影に関する情報の一部が表示されている状態にて、スイッチから第１の操作信号を出力させることにより、撮影に関する情報の全てを表示させることができる。これにより、通常は不必要な情報を非表示させて、撮影時にのみ必要な情報を表示させることにより、表示手段の視認性を向上させることができる。
【００１６】
請求項６記載の発明は、
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチを備える撮影装置において、
前記画像信号を記録手段に記録可能な状態において、前記スイッチから第１の操作信号が出力された場合に、前記表示手段に前記被写体の画像信号を表示させる制御を行う表示制御手段を備えることを特徴とする。
【００１７】
したがって、画像信号を記録手段に記録させる指示となる第２の操作信号を出力させる前に、第１の操作信号を出力させて、被写体の画像信号を表示手段に表示させることができ、撮影時に表示手段を参照しながら撮影を行うことができる。
【００１８】
請求項７記載の発明は、請求項６記載の撮影装置において、
前記表示制御手段は、前記スイッチから第１の操作信号が出力された場合に、前記表示手段の表示状態を、前記撮影に関する情報が表示されている状態から、前記被写体の画像信号及び前記撮影に関する情報が表示された状態に変化させることを特徴とする。
【００１９】
したがって、撮影に関する情報が表示されている状態にて、スイッチから第１の操作信号を出力させることにより、撮影に関する情報に重畳させて被写体の画像信号を表示手段に表示させることができる。すなわち、撮影時に、被写体の画像信号と撮影に関する情報を同時に参照することができ、利便性が良い。
【００２０】
請求項８記載の発明は、請求項１から５及び７のいずれか一項に記載の撮影装置において、
前記撮影に関する情報は、撮影モード、画質モード、フラッシュＯＮ／ＯＦＦ、残りコマ数、電池残容量、レンズ設定及び記録解像度のうち少なくとも１以上を含むことを特徴とする。
【００２１】
したがって、ユーザは、種々の撮影に関する情報を参照することができ、これらの情報に基づいて、目的に応じた撮影を行うことができる。
【００２２】
請求項９記載の発明は、
撮像手段により取得された被写体の画像信号を表示する表示手段と、操作量に応じて第１の操作信号又は第２の操作信号を出力し、当該第２の操作信号により、前記画像信号を記録手段に記録させる指示を出力するスイッチと、モードに応じて前記表示手段を所定の表示状態にさせる指示を出力するモード選択手段と、を備える撮影装置において、
前記画像信号を記録手段に記録可能な状態において、前記表示手段の表示状態を前記モード選択手段により指示されたモードに応じた第１の表示状態にさせ、前記スイッチにより第１の操作信号が出力された場合に、前記表示手段の表示状態を前記第１の表示状態から、第２の表示状態に変化させる制御を行う表示制御手段を備えることを特徴とする。
【００２３】
したがって、モード選択手段の指示によりモードに応じて第１の表示状態にさせ、スイッチを操作して第１の操作信号を出力させることにより、第２の表示状態に変化させることができるため、種々の情報を組み合わせて第１の表示状態及び第２の表示状態を生成することができ、ユーザの目的に応じて、表示手段に必要な情報を表示させることができる。また、例えば、第１の表示状態として表示手段の電源を遮断して駆動を停止させておき、撮影時にスイッチを操作することにより、表示手段を駆動させ、第２の表示状態として表示情報を表示させることができるため、撮影装置に備える電源を節約することができる。
【００２４】
【発明の実施の形態】
以下、図を参照して本発明の実施の形態を詳細に説明する。ただし、発明の範囲は、図示例に限定されない。
ここで、本発明に係る撮影装置と、本実施の形態におけるデジタルカメラ１００とにおける各構成要素の対応関係を明示する。すなわち、本発明における撮影装置の表示手段は、本実施の形態におけるデジタルカメラ１００のカラー液晶表示部４に対応し、本発明のスイッチは、本実施の形態のレリーズキー５ａに対応している。また、本発明の表示制御手段は、本実施の形態の制御部６に対応し、本発明のモード選択手段は、本実施の形態のディスプレイモードキー５ｂに対応している。
【００２５】
まず、構成を説明する。
図１は、本実施の形態におけるデジタルカメラ１００の外観構成を示す図である。図１（ａ）は、デジタルカメラ１００の正面斜視図であり、図１（ｂ）は、その背面斜視図である。図１（ａ）に示すように、デジタルカメラ１００の正面中央には、ストロボ１２、ファインダ１３、レンズ１、タイマー作動時に点灯するＬＥＤ１４ａ等が設けられ、これらを覆うためのバリア蓋スイッチ１５がスライド自在に設けられている。
【００２６】
また、図１（ｂ）に示すように、デジタルカメラ１００の背面には、カラー液晶表示部４、ディスプレイモードキー５ｂ、記録／再生モードキー５ｃ、各種機能キー５ｄ、ファインダ１３、撮影時に点灯するＬＥＤ１４ｂが設けられている。さらに、デジタルカメラ１００の上面には、レリーズキー５ａが設けられている。なお、各構成部分の詳細については、後述する機能的構成の説明と併せて記載する。
【００２７】
次に、図２を参照して、デジタルカメラ１００の機能的構成について説明する。図２は、デジタルカメラ１００の要部構成を示すブロック図である。図２に示すように、デジタルカメラ１００は、レンズ１、ＣＣＤ２、信号処理部３、カラー液晶表示部４、入力部５、制御部６、画像処理部７、Ｉ／Ｆ部８を介して接続される記録メディア９、メモリ１０、電源部１１等を備えて構成され、記録メディア９を除く各部はバスにより接続されている。
【００２８】
レンズ１は、屈折光学素子を用いた単焦点レンズ、焦点距離を２段階に切り替えることができるダブルフォーカスレンズ、焦点距離を連続的に変えることができるズームレンズ等により構成される。このレンズ１は、外部から入力される光線束を収束させて、後述するＣＣＤ２の受光部に光学像を結像する。
【００２９】
ＣＣＤ（Ｃｈａｒｇｅ　Ｃｏｕｐｌｅｄ　Ｄｅｖｉｃｅ）２は、光（光子）の入力に応じて蓄電容量が変化する半導体素子（フォトダイオード等）の受光部に、転送電極を重ねた素子（画素）を平面状に多数配設した画素面と、各画素に蓄積された電荷を電圧に変換して出力する出力部とから構成される。レンズ１を介して入射した光は上記画素面で受光され、各画素には受光量に比例した電荷が蓄積される。各画素の蓄積電荷は、上記出力部により撮像信号（アナログ信号）として１画素分ずつ順次読み出され、信号処理部３に出力される。
【００３０】
信号処理部３は、アナログ信号をデジタル信号に変換するＡ／Ｄ変換器、ノイズを低減するためのＣＤＳ（相関二重サンプリング）回路、またはデジタル信号をアナログ信号に変換するＤ／Ａ変換器等を備え、ＣＣＤ２から入力されるアナログ画像信号をデジタル画像データに変換して各種信号処理を施し、処理結果をカラー液晶表示部４、制御部６、または画像処理部７に出力する。
【００３１】
カラー液晶表示部４は、バックライト（図示せず）を備える透過型又は半透過型の液晶表示装置により構成され、信号処理部３から入力される画像信号に基づいて、表示画面に画像データを表示する。具体的に、カラー液晶表示部４は、撮影モードにおいて、ファインダとして撮影時にレンズ１を介して撮りこんだ被写体のスルー画像及び撮影された被写体の画像データを表示する。また、再生モードにおいて、記録メディア９に記録された画像データを再生表示する。さらに、カラー液晶表示部４は、記録モードにおいて、撮影モード、画質モード、フラッシュＯＮ／ＯＦＦ、電池残容量、残りコマ数等のデジタルカメラ１００の撮影に関する情報を表示する。
【００３２】
入力部５は、レリーズキー５ａ、ディスプレイモードキー５ｂ、記録／再生モードキー５ｃ、メニューキー、選択キー、ズームキー等含む各種機能キー５ｄ、バリア蓋スイッチ（ＳＷ）１５等を備えて構成され、各種キーの操作に応じた各種操作信号を生成して、制御部６へ出力する。
【００３３】
ここで、レリーズキー５ａは、撮影動作に先立ってＡＥ（Ａｕｔｏ　Ｅｘｐｏｓｕｒｅ：自動露出制御）、ＡＦ（Ａｕｔｏ　Ｆｏｃｕｓ：自動焦点制御）処理を開始させるＳ１スイッチと、実際の露光処理を開始させるＳ２スイッチと、からなる２段式のスイッチにより構成され、レリーズキー５ａの操作量（例えば、ストローク量）に応じて、Ｓ１スイッチ又はＳ２スイッチの操作を行える構成となっている。また、レリーズキー５ａのＳ１スイッチは、記録モードにおいて、ＡＥ、ＡＦ処理を指示すると共に、カラー液晶表示部４に表示される表示情報を切り替えるためのスイッチとしての機能を有している。
【００３４】
ディスプレイモードキー（以下、「Ｄモードキー」と記す）５ｂは、記録モードにおいて、カラー液晶表示部４の表示モードを切り替えるためのキーである。このＤモードキー５ｂにより切り替えられる表示モードは、例えば、プレビューモード、プレビュー／情報モード、情報モード、ＯＦＦモードの４つのモードがある。ここで、プレビューモードは、ＣＣＤ２から取りこまれた被写体のスルー画像を表示するモードであり、プレビュー／情報モードは、スルー画像と共に、撮影情報の一部（例えば、電池残容量、残りコマ数等）を表示するモードである。
【００３５】
また、情報モードは、撮影情報の一部又は全部を表示するモードであり、一部又は全部のどちらを表示するかは、予めユーザにより設定されている。さらに、表示される撮影情報の一部についても、ユーザにより任意に設定できる構成となっている。また、ＯＦＦモードは、カラー液晶表示部４が消灯され、表示が行われていない状態である。
【００３６】
記録／再生モードキー５ｃは、デジタルカメラ１００の電源が投入されている状態において、設定されているモードを記録モード又は再生モードに切り替えるためのキーである。ここで、撮影モードは、レンズ１を介して入力される被写体の光学像をＣＣＤ２にて光電変換し、画像データを取得する撮影処理を実行するためのモードであり、再生モードは、記録メディア９に記録された画像データを読み出して、カラー液晶表示部４に画像データを表示させる再生処理を実行するためのモードである。また、バリア蓋ＳＷ１５は、スライド自在に構成され、開閉動作に応じて、電源の投入又は遮断を指示するためのスイッチである。
【００３７】
制御部６は、メモリ１０に記録されているデジタルカメラ１００に対応する各種プログラムの中から指定されたプログラム、入力部５から入力される各種指示又はデータをメモリ１０のワークエリアに展開し、この入力指示及び入力データに応じて上記プログラムに従って各種処理を実行し、その処理結果をメモリ１０内の所定の領域に格納すると共に、カラー液晶表示部４に表示させる。
【００３８】
具体的に、制御部６は、メモリ１０に格納される表示制御処理プログラムを読みだして、後述する表示制御処理（図４参照）を実行する。この表示制御処理を実行するに際して、制御部６は、デジタルカメラ１００の電源が投入され、撮影モードが設定されると、Ｄモードキー５ｂにより設定される表示モードに基づいて表示情報を作成してカラー液晶表示部４に表示させると共に、レリーズキー５ａのＳ１スイッチ（以下、「Ｓ１スイッチ」と略記）の操作に応じて、表示情報を作成してカラー液晶表示部４に表示させる。すなわち、制御部６は、モードに応じた第１の表示状態を生成し、Ｓ１スイッチの操作に応じて、カラー液晶表示部４を第２の表示状態に変化させる制御を行う。
【００３９】
ここで、図３を参照して、設定されている表示モード及びＳ１スイッチの操作に応じて、カラー液晶表示部４に表示される表示情報について説明する。図３は、設定されている表示モードにより表示される表示情報（すなわち、第１の表示状態）と、Ｓ１スイッチが操作された後において表示される表示情報（すなわち、第２の表示状態）との対応関係を示す図である。なお、図３において、○は「全てを表示」の意味であり、×は「非表示」の意味であり、一部は「撮影情報の一部を表示」の意味である。
【００４０】
まず、ＯＦＦモードにおいては、予めユーザの設定により、設定Ａ又は設定Ｂの２通りの表示パターンを選択可能である。ここで、ユーザにより設定Ａが選択されている場合、Ｓ１スイッチ操作前は、カラー液晶表示部４は消灯された状態であり、スルー画像及び撮影情報は共に非表示されている。そして、Ｓ１スイッチが操作されると、スルー画像及び撮影情報が表示される。また、ユーザにより設定Ｂが選択されている場合、Ｓ１スイッチ操作前は、スルー画像及び撮影情報は共に非表示されており、Ｓ１スイッチ操作後は、撮影情報のみが表示される。
【００４１】
次に、プレビューモードにおいて、Ｓ１スイッチ操作前は、スルー画像が表示されており、Ｓ１スイッチ操作後は、スルー画像及び撮影情報が表示される。また、プレビュー／情報モードにおいて、Ｓ１スイッチ操作前は、スルー画像及び撮影情報の一部が表示されており、Ｓ１スイッチ操作後は、スルー画像及び全ての撮影情報が表示される。
【００４２】
さらに、情報モードにおいては、予めユーザの設定により、設定Ｃ又は設定Ｄの２通りの表示パターンが選択可能である。ここで、ユーザにより設定Ｃが選択されていた場合、Ｓ１スイッチ操作前は、撮影情報の一部が表示されており、Ｓ１スイッチ操作後は、全ての撮影情報が表示される。また、ユーザにより設定Ｄが選択されていた場合、Ｓ１スイッチ操作前は、全ての撮影情報が表示されており、Ｓ１スイッチ操作後は、スルー画像及び撮影情報が表示される。
【００４３】
図２に戻り、画像処理部７は、信号処理部３、または記録メディア９から入力される画像データに対して、階調変換、画素補間、色変換、ＹＣＣ変換、データ圧縮等の所定の画像処理を実行する。
【００４４】
Ｉ／Ｆ部８は、デジタルカメラ１００と記録メディア９を接続するためのインターフェースであり、デジタルカメラ１００と記録メディア９との間で、画像データ等の転送速度の調整や、データ形式の変換を行い、両者間のデータのやりとりを仲介する。
【００４５】
記録メディア９は、半導体素子にデータを電子的に保存する書き換え可能な不揮発性メモリにより構成され、各種処理により生成された画像データ及び撮影に関する情報等をそれぞれ対応付けて記録する。
【００４６】
メモリ１０は、書き換え可能な半導体素子で構成されるＲＡＭ（Ｒａｎｄｏｍ　Ａｃｃｅｓｓ　Ｍｅｍｏｒｙ）、不揮発性の半導体メモリで構成されるＲＯＭ（Ｒｅａｄ　Ｏｎｌｙ　Ｍｅｍｏｒｙ）等から構成される。ＲＯＭは、デジタルカメラ１００の各部を制御するための各種制御プログラムのうち、書き換え不要な基本プログラムを格納している。ＲＡＭは、制御部６により各種制御処理が実行される際に、その制御処理を司るプログラムを展開し、処理される各種データ等を一時的に格納する。
【００４７】
電源部１１は、アルカリ電池、マンガン電池、ボタン型電池等の１次電池、またはリチウム電池、ニッケル電池、ニカド電池等の２次電池を備えて構成され、電源が投入されると、制御部６の制御に応じて、電池のプラス側の端子及びマイナス側の端子から、デジタルカメラ１００の各部を駆動させる駆動回路（図示せず）に所定電圧の電源を供給する。
【００４８】
次に、本実施の形態の動作を説明する。
なお、動作説明の前提として、以下のフローチャートに記述されている各処理を実現するためのプログラムは、デジタルカメラ１００の制御部６が読み取り可能なプログラムコードの形態でメモリ１０に格納されており、制御部６は、当該プログラムコードに従った動作を逐次実行する。
【００４９】
図４は、デジタルカメラ１００が起動され、記録モードが設定された際に、制御部６により実行される表示制御処理を示すフローチャートである。図４に示すように、記録／再生モードキー５ｃにより記録モードの設定が指示されると、制御部６は、記録モードの設定を行い（ステップＳ１）、続いて、カラー液晶表示部４の表示モードを設定するためのＤモードキー５ｂが操作されたかを判断する（ステップＳ２）。
【００５０】
ここで、Ｄモードキー５ｂにより、プレビューモードが設定された場合（ステップＳ２；ＹＥＳ）、制御部６は、カラー液晶表示部４にＣＣＤ２から取りこんだ被写体のスルー画像を表示させる（ステップＳ３）。次いで、制御部６は、レリーズキー５ａにより、Ｓ１スイッチが操作されたか否かを判断し（ステップＳ４）、Ｓ１スイッチが操作された場合（ステップＳ４；ＹＥＳ）、カラー液晶表示部４にスルー画像及び撮影情報を表示させる（ステップＳ５）。
【００５１】
また、ステップＳ２に戻り、Ｄモードキー５ｂにより、プレビューモードが設定されない場合（ステップＳ２；ＮＯ）、制御部６は、プレビュー／情報モードが設定されたか否かを判断する（ステップＳ６）。ここで、プレビュー／情報モードが設定された場合（ステップＳ６；ＹＥＳ）、制御部６は、カラー液晶表示部４にスルー画像及び撮影情報の一部を表示させる（ステップＳ７）。次いで、制御部６は、レリーズキー５ａにより、Ｓ１スイッチが操作されたか否かを判断し（ステップＳ８）、Ｓ１スイッチが操作された場合（ステップＳ８；ＹＥＳ）、スルー画像及び全ての撮影情報を表示させる（ステップＳ９）。
【００５２】
さらに、ステップＳ６に戻り、Ｄモードキー５ｂにより、プレビュー／情報モードが設定されない場合（ステップＳ６；ＮＯ）、制御部６は、情報モードが設定されたか否かを判断する（ステップＳ１０）。ここで、情報モードが設定された場合（ステップＳ１０；ＹＥＳ）、制御部６は、情報モードの設定を確認する（ステップＳ１１）。ここで、情報モードの設定が設定Ｃである場合（ステップＳ１１；ＹＥＳ）、制御部６は、カラー液晶表示部４に撮影情報の一部を表示させる（ステップＳ１６）。次いで、制御部６は、レリーズキー５ａにより、Ｓ１スイッチが操作されたか否かを判断して（ステップＳ１３）、Ｓ１スイッチが操作された場合（ステップＳ１３；ＹＥＳ）、カラー液晶表示部４に全ての撮影情報を表示させる（ステップＳ１４）。
【００５３】
また、ステップＳ１１に戻り、情報モードの設定が設定Ｄであった場合（ステップＳ１１；ＮＯ）、制御部６は、カラー液晶表示部４に全ての撮影情報を表示させる（ステップＳ１５）。次いで、制御部６は、Ｓ１スイッチが操作されたか否かを判断して（ステップＳ１６）、Ｓ１スイッチが操作された場合（ステップＳ１６；ＹＥＳ）、カラー液晶表示部４にスルー画像及び撮影情報を表示させる（ステップＳ１７）。
【００５４】
さらに、ステップＳ１０に戻り、Ｄモードキー５ｂにより、情報モードが設定されない場合（ステップＳ１０；ＮＯ）、制御部６は、表示モードをＯＦＦモードに設定して（ステップＳ１０）、カラー液晶表示部４を消灯させたままにする（ステップＳ１９）。次いで、制御部６は、Ｓ１スイッチが操作されたか否かを判断して（ステップＳ２０）、Ｓ１スイッチが操作された場合（ステップＳ２０；ＹＥＳ）、ＯＦＦモードの設定の確認を行う（ステップＳ２１）。
【００５５】
ここで、ＯＦＦモードの設定が設定Ａであった場合（ステップＳ２１；ＹＥＳ）、制御部６は、カラー液晶表示部４にスルー画像及び撮影情報を表示させる（ステップＳ２２）。一方、ＯＦＦモードの設定が設定Ｂであった場合（ステップＳ２１；ＮＯ）、制御部６は、カラー液晶表示部４に撮影情報のみを表示させる（ステップＳ２３）。
【００５６】
そして、制御部６は、ステップＳ２４に移行して、記録モード終了の指示が入力されたか否かを判断し（ステップＳ２４）、記録モード終了の指示が入力されない場合（ステップＳ２４；ＮＯ）、ステップＳ２に移行して、ステップＳ２〜Ｓ２３の処理を繰り返して実行する。また、記録モード終了の指示が入力された場合（ステップＳ２４；ＮＯ）、制御部６は、本表示制御処理を終了する。
【００５７】
次に、図５を参照して上述した表示制御処理において、カラー液晶表示部４に表示される表示情報について説明する。図５（ａ）〜（ｄ）は、カラー液晶表示部４に表示される表示画面の具体例を示す図である。図５（ａ）の表示画面４１は、例えば、図４のステップＳ３の処理により、スルー画像が表示された例を示す図である。
【００５８】
また、図５（ｂ）の表示画面４２は、例えば、図４のステップＳ５、Ｓ９、Ｓ１７、Ｓ２２の処理により、スルー画像及び撮影情報が表示された例を示す図である。また、図５（ｃ）の表示画面４３は、例えば、図４のステップＳ７の処理により、スルー画像及び撮影情報の一部が表示された例を示す図である。さらに、図５（ｄ）の表示画面４４は、例えば，図４のステップＳ１４、Ｓ１５、Ｓ２３の処理により、撮影情報のみが表示された例を示す図である。
【００５９】
以上のように、本実施の形態のデジタルカメラ１００によれば、２段式のレリーズキー５ａを備え、記録モードが設定された際に、Ｄモードキー５ｂにより設定される表示モードに応じて表示情報を生成し、カラー液晶表示部４にスルー画像、撮影情報等を表示させる。そして、レリーズキー５ａにより、Ｓ１スイッチが操作されると、表示モードにより表示されている表示情報とは異なる表示情報を生成し、カラー液晶表示部４の表示状態を切り替えて表示させる。
【００６０】
したがって、例えば、表示手段を１つしか備えないデジタルカメラ１００において、スルー画像及び撮影情報を表示させる場合に、目的に応じて必要な情報を選択的にカラー液晶表示部４に表示させることができるため、利便性が良い。また、多くの情報がカラー液晶表示部４に重畳して表示されることを防止して、視認性の良い表示画面を提供することができる。
【００６１】
また、レリーズキー５ａのＳ１スイッチにより、表示の切り替えを行える構成としたので、撮影時に、撮影に係るスイッチを操作することにより、表示の切り替えができる。これにより、撮影時に必要となる情報を適切なタイミングにて容易にカラー液晶表示部４に表示させることができ、操作性が向上する。さらに、レリーズキー５ａによる表示の切り替えだけでなく、Ｄモードキー５ｂによりモードを設定させ、設定されたモードに応じて表示情報をカラー液晶表示部４に表示させる。そして、設定されたモードに基づいて、レリーズキー５ａのＳ１スイッチによる表示の切り替えを行える構成となっているため、ユーザの使用目的に応じて、種々の情報を組み合わせて表示させることができ、汎用性の高いデジタルカメラ１００を提供することができる。
【００６２】
或いは、表示モードがＯＦＦモードに設定され、カラー液晶表示部４が消灯されている場合であっても、Ｓ１スイッチを操作することにより、カラー液晶表示部４を駆動させて、必要な情報を表示させることができる。すなわち、撮影時に撮影を行うタイミングにて、カラー液晶表示部４を駆動させてスルー画像、撮影情報等を表示させることができ、電源を節約することができる。
【００６３】
なお、上述した本実施の形態における記述は、本発明に係る好適なカメラ１００の一例であり、これに限定されるものではない。
例えば、Ｄモードキー５ｂにより設定されるモード及びモードに対応して表示される表示情報は、一例であり、その他種々のモードや、情報が組み合わされて表示される構成であって良い。また、撮影情報に含まれる各情報も一例であり、これらに限定されない。
【００６４】
さらに、本実施の形態において、表示手段は、カラー液晶表示部４である場合を例として説明を行ったが、表示手段はこれに限らず、例えば、ＬＥＤ（Ｌｉｇｈｔ　Ｅｍｉｔｔｉｎｇ　Ｄｉｏｄｅ）、ＥＬディスプレイ（Ｅｌｅｃｔｒｏ　Ｌｕｍｉｎｅｓｃｅｎｃｅ　Ｄｉｓｐｌａｙ）、ＶＦＤ（蛍光表示管）、ＰＤＰ（Ｐｌａｓｍａ　Ｄｉｓｐｌａｙ　Ｐａｎｅｌ）等により構成されていてもよい。
【００６５】
その他、本実施の形態におけるカメラ１００の構成部分の細部構成及び細部動作に関しても、本発明の趣旨を逸脱することのない範囲で適宜変更可能である。
【００６６】
【発明の効果】
請求項１記載の発明によれば、被写体の画像信号を記録手段に記録させる指示を出力する直前に、スイッチを操作して第１の操作信号を出力させることにより、表示手段の表示状態を第１の表示状態から、第２の表示状態に変化させることができる。これにより、例えば、表示手段を１つしか備えない撮影装置において、撮影時以外には情報を非表示させておき、撮影時に撮影に係るスイッチを操作することにより、必要な情報を容易に表示手段に表示させることができるため、利便性が良い。
【００６７】
請求項２記載の発明によれば、画像信号を記録手段に記録させる指示するための第２の操作信号を出力させる前に、第１の操作信号を出力させて、撮影に関する情報を表示手段に表示させることができ、撮影時に必要な情報を得ることができる。
【００６８】
請求項３記載の発明によれば、請求項２記載の発明の効果に加えて、被写体の画像信号が表示されている状態にて、スイッチから第１の操作信号を出力させることにより、被写体の画像信号に重畳させて撮影に関する情報を表示手段に表示させることができる。すなわち、撮影時に、被写体の画像信号と撮影に関する情報を同時に参照することができ、利便性が良い。
【００６９】
請求項４記載の発明によれば、請求項２記載の発明の効果に加えて、表示手段に何も表示されていない状態にて、スイッチから第１の操作信号を出力させることにより、撮影に関する情報を表示させることができる。すなわち、撮影時に、表示手段がＯＦＦされている場合でも、撮影に係るスイッチを操作することにより、撮影に関する情報を表示させることができるため、操作性が良い。また、撮影に必要な情報を表示させるために、予め表示手段に電源を供給して駆動させておく必要がなく、電源を節約することができる。
【００７０】
請求項５記載の発明によれば、請求項２記載の発明の効果に加えて、撮影に関する情報の一部が表示されている状態にて、スイッチから第１の操作信号を出力させることにより、撮影に関する情報の全てを表示させることができる。これにより、通常は不必要な情報を非表示させて、撮影時にのみ必要な情報を表示させることにより、表示手段の視認性を向上させることができる。
【００７１】
請求項６記載の発明によれば、画像信号を記録手段に記録させる指示となる第２の操作信号を出力させる前に、第１の操作信号を出力させて、被写体の画像信号を表示手段に表示させることができ、撮影時に表示手段を参照しながら撮影を行うことができる。
【００７２】
請求項７記載の発明によれば、請求項６記載の発明の効果に加えて、撮影に関する情報が表示されている状態にて、スイッチから第１の操作信号を出力させることにより、撮影に関する情報に重畳させて被写体の画像信号を表示手段に表示させることができる。すなわち、撮影時に、被写体の画像信号と撮影に関する情報を同時に参照することができ、利便性が良い。
【００７３】
請求項８記載の発明によれば、請求項１から５及び７のいずれか一項に記載の発明の効果に加えて、ユーザは、種々の撮影に関する情報を参照することができ、これらの情報に基づいて、目的に応じた撮影を行うことができる。
【００７４】
請求項９記載の発明によれば、モード選択手段の指示によりモードに応じて第１の表示状態にさせ、スイッチを操作して第１の操作信号を出力させることにより、第２の表示状態に変化させることができるため、種々の情報を組み合わせて第１の表示状態及び第２の表示状態を生成することができ、ユーザの目的に応じて、表示手段に必要な情報を表示させることができる。また、例えば、第１の表示状態として表示手段の電源を遮断して駆動を停止させておき、撮影時にスイッチを操作することにより、表示手段を駆動させ、第２の表示状態として表示情報を表示させることができるため、撮影装置に備える電源を節約することができる。
【図面の簡単な説明】
【図１】（ａ）本発明を適用した実施の形態におけるデジタルカメラ１００の外観構成を示す正面斜視図である。
（ｂ）デジタルカメラ１００の外観構成を示す背面斜視図である。
【図２】図１のデジタルカメラ１００の要部構成を示すブロック図である。
【図３】表示モードと、Ｓ１スイッチが操作される前後において表示される表示情報との対応関係を示す図である
【図４】図２の制御部６により実行される表示制御処理を示すフローチャートである。
【図５】図２のカラー液晶表示部４に表示される表示画面の例を示す図である。
【符号の説明】
１００　　デジタルカメラ
１　　レンズ
２　　ＣＣＤ
３　　信号処理部
４　　カラー液晶表示部
５　　入力部
５ａ　　レリーズキー
５ｂ　　Ｄモードキー
６　　制御部
７　　画像処理部
８　　Ｉ／Ｆ部
９　　記録メディア
１０　　メモリ
１１　　電源部
１２　　フラッシュ
１３　　ファインダ
１４ａ、１４ｂ　　ＬＥＤ
１５　　バリア蓋ＳＷ
【図１】
2004064502.tif 000003
【図２】
2004064502.tif 000004
【図３】
2004064502.tif 000005
【図４】
2004064502.tif 000006
【図５】
2004064502.tif 000007